(57)【要約】【課題】ネットワークを介して利用可能なコンテンツデータを活用したサービスをより多くの利用者に提供する。【解決手段】人感センサを備えた無線送受信装置に対して、無線機能付き移動体端末を携帯したユーザーが近づくと、無線機能付き移動体端末がトリガー信号を検知したことを契機に端末ＩＤが付与された端末データを無線送受信装置に対して送信する。無線送受信装置に送信された端末データは、無線送受信装置に接続されているクライアントサーバによってクライアントＩＤが付与され、ネットワークを介して情報解析管理サーバに伝送される。情報解析管理サーバは、受信した端末データに基づきユーザーデータベースを参照してヘルスケアサービスコンテンツデータを生成し、クライアントサーバへヘルスケアサービスコンテンツデータを伝送する。クライアントサーバは、ヘルスケアサービスコンテンツデータを、クライアント表示装置に表示させる。【選択図】図１
2011039579.tif 000002
【特許請求の範囲】
【請求項１】
無線送受信装置と、クライアントサーバと、情報解析管理サーバとが互いに通信可能に接続されている情報表示システムにおいて、
前記無線送受信装置は、
無線通信によってトリガー信号を送信するとともに、前記トリガー信号を受信した端末から送信された受信データを受信するアンテナと、
前記トリガー信号を生成するトリガー信号発生部と、
受信データを前記クライアントサーバに送信する第１通信部とを備え、
前記クライアントサーバは、
自クライアントサーバに割り当てられた識別情報であってクライアントサーバを個別に識別するクライアントサーバ識別情報を記憶する記憶部と、
前記無線送受信装置から前記受信データを受信して当該受信データに前記クライアントサーバ識別情報を関連付けて前記情報解析管理サーバに送信するとともに、前記情報解析管理サーバから送信されるコンテンツデータを受信する第２通信部と、
前記コンテンツデータを受信した場合、当該コンテンツデータが表わす画像を表示装置に表示させる表示制御部とを備え、
前記情報解析管理サーバは、
前記クライアントサーバから前記受信データおよび前記クライアントサーバ識別情報を受信する受信部と、
前記通信部を介して受信した受信データに基づき前記コンテンツデータを生成し、前記クライアントサーバ識別情報が表わしている前記クライアントサーバを特定する情報を前記コンテンツデータに関連付けて送信部に出力するコンテンツデータ生成部と、
前記コンテンツデータ生成部から出力されたコンテンツデータが入力され、当該コンテンツデータに関連付けられている前記クライアントサーバを特定する情報に基づき、前記コンテンツデータを当該クライアントサーバに送信する送信部と
を備えることを特徴とする情報表示システム。
【請求項２】
前記無線送受信装置は、ユーザーの存在の有無を検知する人感センサをさらに備え、当該人感センサによってユーザーが付近に存在していることが検知された場合、前記トリガー信号を送信することを特徴とする請求項１に記載の情報表示システム。
【請求項３】
前記受信データは、前記端末の変位量を検出するモーションセンサによって得られた、前記端末を保持しているユーザーの運動量を表わす運動データを含むことを特徴とする請求項１あるいは２に記載の情報表示システム。
【請求項４】
前記運動データは、前記モーションセンサの出力信号に基づき、前記端末によって算出される歩数、歩行距離、歩行速度を表わす運動データを含むことを特徴とする請求項３に記載の情報表示システム。
【請求項５】
前記受信データは、前記端末に備えられているバイタルセンサによって検出されたバイタルデータであって、血圧、心拍数、体重、体温、体脂肪、心電図、筋電図、脳波、呼吸、発汗、眼球運動、飽和酸素濃度、血糖、脈拍のうち少なくとも１つを含むことを特徴とする請求項１から４のいずれか一項に記載の情報表示システム。
【請求項６】
前記受信データは、前記端末に記憶されているユーザーの健康管理に関するユーザー情報であって、ユーザーの名前、身長、体重、血液型、歩幅、年齢、性別等、ユーザーが利用可能なヘルスケアサービスに関するサービス識別番号のうち少なくとも1つを含むことを特徴とする請求項１から５のいずれか一項に記載の情報表示システム。
【請求項７】
前記無線送受信装置は、前記トリガー信号を受信することによって前記受信データを作成して前記無線送受信装置に送信する端末から、この端末に割り当てられた識別情報であって端末を個別に識別する端末識別情報が関連付けられた前記受信データを受信し、この端末識別情報と受信データとを関連付けて前記クライアントサーバに送信し、
前記クライアントサーバは、前記受信した互いに関連付けられている端末識別情報と受信データを情報解析管理サーバに送信し、
前記情報解析管理サーバは、
健康管理に関するコンテンツデータが提供されるサービスを利用可能なユーザーの端末識別情報と、複数のサービスのうち特定のサービスを表わすサービス識別番号とを対応付けて記憶する管理サーバ記憶部をさらに備え、前記互いに関連付けられている端末識別情報と受信データを受信すると、前記記憶部を参照して、前記端末情報に対応付けられている前記サービス識別番号に応じたコンテンツデータを、前記受信データに基づき作成することを特徴とする請求項１から６のいずれか一項に記載の情報表示システム。
【請求項８】
無線送受信装置と、クライアントサーバと、情報解析管理サーバとが互いに通信可能に接続されている情報表示システムにおける情報表示方法であって、
前記無線送受信装置のアンテナが、
トリガー信号発生によって生成されたトリガー信号を無線通信によって送信するステップと、
前記無線送受信装置の第１通信部が
前記トリガー信号を受信した端末から送信された受信データを受信して、当該受信データを前記クライアントサーバに送信するステップと、
前記クライアントサーバの第２通信部が、
前記無線送受信装置から前記受信データを受信すると、自クライアントサーバに割り当てられた識別情報であってクライアントサーバを個別に識別するクライアントサーバ識別情報を記憶する記憶部から前記クライアントサーバ識別情報を読み出し、当該受信データに前記クライアントサーバ識別情報を関連付けて前記情報解析管理サーバに送信するステップと、
前記情報解析管理サーバのコンテンツデータ生成部が、
前記クライアントサーバから前記受信データおよび前記クライアントサーバ識別情報を受信すると、当該受信データに基づき前記コンテンツデータを生成し、前記クライアントサーバ識別情報が表わしている前記クライアントサーバを特定する情報を前記コンテンツデータに関連付けて送信部に出力するステップと、
前記情報解析管理サーバの送信部が、
前記コンテンツデータ生成部から出力されたコンテンツデータを受け取り、当該コンテンツデータに関連付けられている前記クライアントサーバを特定する情報に基づき、前記コンテンツデータを当該クライアントサーバに送信するステップと、
前記クライアントサーバの表示制御部が、
前記情報解析管理サーバから前記コンテンツデータを受信すると、当該コンテンツデータが表わす画像を表示装置に表示させるステップと
を備えることを特徴とする情報表示方法。
【請求項９】
前記受信データは、
前記端末のユーザーの健康管理に関する測定情報を含み、
当該測定情報は、
前記端末に備えられているモーションによって検出される当該端末の変位量に基づき得られるユーザーの運動データや、あるいは、前記無線機能付き端末に備えられているバイタルセンサによって検出されるユーザーの血圧、心拍数、体重、体温、体脂肪、心電図、筋電図、脳波、呼吸、発汗、眼球運動、飽和酸素濃度、血糖、脈拍のうち少なくとも１つを含むバイタルデータを含み、
前記コンテンツデータは、
前記運動データや前記バイタルデータに基づく生成される健康管理に関するデータであることを特徴とする請求項８に記載の情報表示方法。
【発明の詳細な説明】
【技術分野】
【０００１】
本発明は、情報管理サーバによって生成されるコンテンツデータを表示する表示システムに関し、特に無線機能付き移動体端末とクラアントサーバとを用いてコンテンツデータを表示装置に表示させる技術に関する。
【背景技術】
【０００２】
近年、中高年齢層に多い糖尿病、高血圧症、脂質異常症などの生活習慣病は、日頃の食生活や運動不足などの生活習慣との関係が大きいと言われている。
そこで、生活習慣病予防のため平成２０年度から４０〜７４歳の被保険者あるいは被扶養者に対する特定健康診断や、この特定健康診断の結果メタボリック症候群およびその予備群と診断された保健指導対象者に対する特定保健指導の実施が厚生労働省によって義務付けられている。
このため、生活習慣病予防のための特定保健指導の実施の効率化を図るため、ＩＴ（ information technology ）を活用した特定保健指導の業務支援が有望視されている。例えば、インターネットを利用して、特定保健指導に特化した運動指導や食事指導等のサービスをユーザーに提供するヘルスケアサービスが立ち上がっている。
【０００３】
ここで、内閣府の「インターネットに関する世論調査」によると、インターネットを利用している者の比率は、全体の４４．７％である。このうち、２０歳代男性の利用者の割合は７８．７％であるが、これに対して７０歳以上の男性の利用者の割合は１４．５％に留まる。また、２０歳代女性の利用者の割合は７９．６％であるのに対して７０歳以上の女性の利用者は３．５％と極めて低い。このように、インターネットの利用者の割合は、年齢による利用率の差が顕著であり、特に中高年齢者のインターネット利用率が低くなっている。この原因の１つとして、中高年齢層の利用者のＩＴリテラシー（インターネットやコンピュータについての知識や利用能力）のレベルが低いことが挙げられている。
【０００４】
また、利用者の生体データを管理サーバへ送信することで生体データを管理する健康管理支援システムがある。例えば、歩数計付きＩＣタグとＩＣタグリーダとが通信することで、ユーザーの操作を介さずにＩＣタグに記憶されているデータをＩＣタグリーダと接続されているサーバに送信するシステムがある（例えば、非特許文献１参照）。
【先行技術文献】
【特許文献】
【０００５】
【特許文献１】特開２００６−１２７１６１号公報
【非特許文献】
【０００６】
【非特許文献１】タニタの健康応援ネット「からだカルテ」＜http://www.karadakarute.jp/tanita/index.jsp＞.
【発明の概要】
【発明が解決しようとする課題】
【０００７】
しかしながら、ヘルスケアサービスの利用者と想定される対象は、特定保健指導の対象となる４０〜７４歳の中高年齢層であって、２０歳代に比べＩＴリテラシーのレベルが低いと言われている。このため、ＰＣ（ personal computer ）を用いて特定のＵＲＬ（ uniform resource locator ）を入力しサービスコンテンツデータにアクセスするような手続きが煩雑となり、インターネットを利用したサービスの利用が困難であるという問題がある。よって、通常のインターネットを用いたサービスの提供だけでは、利用者の十分なアクセスが得られず、このようにサービスコンテンツデータを利用した健康改善に十分な効果は挙げられなかった。
【０００８】
また、上述の特許文献１の構成では、ＩＣタグから歩数を表わす情報がサーバに送信されても、この情報を利用してサービスに関するデータを閲覧することはできなかった。また、サービスに関するデータを閲覧するためには、メニュー画面等からユーザー登録情報を入力してログインしなければならず、ＩＴ機器を操作する必要があった。
【０００９】
本発明は、このような課題を鑑みてなされたものであり、その目的は、ネットワークを介して利用可能なコンテンツデータを活用したサービスをより多くの利用者に提供するための情報表示システムおよび情報表示方法を提供することにある。
【課題を解決するための手段】
【００１０】
上述した課題を解決するために、本発明は、無線送受信装置と、クライアントサーバと、情報解析管理サーバとが互いに通信可能に接続されている情報表示システムにおいて、前記無線送受信装置は、無線通信によってトリガー信号を送信するとともに、前記トリガー信号を受信した端末から送信された受信データを受信するアンテナと、前記トリガー信号を生成するトリガー信号発生部と、受信データを前記クライアントサーバに送信する第１通信部とを備え、前記クライアントサーバは、自クライアントサーバに割り当てられた識別情報であってクライアントサーバを個別に識別するクライアントサーバ識別情報を記憶する記憶部と、前記無線送受信装置から前記受信データを受信して当該受信データに前記クライアントサーバ識別情報を関連付けて前記情報解析管理サーバに送信するとともに、前記情報解析管理サーバから送信されるコンテンツデータを受信する第２通信部と、前記コンテンツデータを受信した場合、当該コンテンツデータが表わす画像を表示装置に表示させる表示制御部とを備え、前記情報解析管理サーバは、前記クライアントサーバから前記受信データおよび前記クライアントサーバ識別情報を受信する受信部と、前記通信部を介して受信した受信データに基づき前記コンテンツデータを生成し、前記クライアントサーバ識別情報が表わしている前記クライアントサーバを特定する情報を前記コンテンツデータに関連付けて送信部に出力するコンテンツデータ生成部と、前記コンテンツデータ生成部から出力されたコンテンツデータが入力され、当該コンテンツデータに関連付けられている前記クライアントサーバを特定する情報に基づき、前記コンテンツデータを当該クライアントサーバに送信する送信部とを備えることを特徴とする。
【００１１】
本発明は、上記の発明において、前記無線送受信装置が、ユーザーの存在の有無を検知する人感センサをさらに備え、当該人感センサによってユーザーが付近に存在していることが検知された場合、前記トリガー信号を送信することを特徴とする。
【００１２】
本発明は、上記の発明において、前記受信データが、前記端末の変位量を検出するモーションセンサによって得られた、前記端末を保持しているユーザーの運動量を表わす運動データを含むことを特徴とする。
【００１３】
本発明は、上記の発明において、前記運動データが、前記モーションセンサの出力信号に基づき、前記端末によって算出される歩数、歩行距離、歩行速度を表わす運動データを含むことを特徴とする。
【００１４】
本発明は、上記の発明において、前記受信データが、前記端末に備えられているバイタルセンサによって検出されたバイタルデータであって、血圧、心拍数、体重、体温、体脂肪、心電図、筋電図、脳波、呼吸、発汗、眼球運動、飽和酸素濃度、血糖、脈拍のうち少なくとも１つを含むことを特徴とする。
【００１５】
本発明は、上記の発明において、前記受信データが、前記端末に記憶されているユーザーの健康管理に関するユーザー情報であって、ユーザーの名前、身長、体重、血液型、歩幅、年齢、性別等、ユーザーが利用可能なヘルスケアサービスに関するサービス識別番号のうち少なくとも1つを含むことを特徴とする。
【００１６】
本発明は、上記の発明において、前記無線送受信装置が、前記トリガー信号を受信することによって前記受信データを作成して前記無線送受信装置に送信する端末から、この端末に割り当てられた識別情報であって端末を個別に識別する端末識別情報が関連付けられた前記受信データを受信し、この端末識別情報と受信データとを関連付けて前記クライアントサーバに送信し、前記クライアントサーバは、前記受信した互いに関連付けられている端末識別情報と受信データを情報解析管理サーバに送信し、前記情報解析管理サーバが、健康管理に関するコンテンツデータが提供されるサービスを利用可能なユーザーの端末識別情報と、複数のサービスのうち特定のサービスを表わすサービス識別番号とを対応付けて記憶する管理サーバ記憶部をさらに備え、前記互いに関連付けられている端末識別情報と受信データを受信すると、前記記憶部を参照して、前記端末情報に対応付けられている前記サービス識別番号に応じたコンテンツデータを、前記受信データに基づき作成することを特徴とする。
【００１７】
また、上述した課題を解決するために、本発明は、無線送受信装置と、クライアントサーバと、情報解析管理サーバとが互いに通信可能に接続されている情報表示システムにおける情報表示方法であって、前記無線送受信装置のアンテナが、トリガー信号発生によって生成されたトリガー信号を無線通信によって送信するステップと、前記無線送受信装置の第１通信部が、前記トリガー信号を受信した端末から送信された受信データを受信して、当該受信データを前記クライアントサーバに送信するステップと、前記クライアントサーバの第２通信部が、前記無線送受信装置から前記受信データを受信すると、自クライアントサーバに割り当てられた識別情報であってクライアントサーバを個別に識別するクライアントサーバ識別情報を記憶する記憶部から前記クライアントサーバ識別情報を読み出し、当該受信データに前記クライアントサーバ識別情報を関連付けて前記情報解析管理サーバに送信するステップと、前記情報解析管理サーバのコンテンツデータ生成部が、前記クライアントサーバから前記受信データおよび前記クライアントサーバ識別情報を受信すると、当該受信データに基づき前記コンテンツデータを生成し、前記クライアントサーバ識別情報が表わしている前記クライアントサーバを特定する情報を前記コンテンツデータに関連付けて送信部に出力するステップと、前記情報解析管理サーバの送信部が、前記コンテンツデータ生成部から出力されたコンテンツデータを受け取り、当該コンテンツデータに関連付けられている前記クライアントサーバを特定する情報に基づき、前記コンテンツデータを当該クライアントサーバに送信するステップと、前記クライアントサーバの表示制御部が、前記情報解析管理サーバから前記コンテンツデータを受信すると、当該コンテンツデータが表わす画像を表示装置に表示させるステップと、を備えることを特徴とする。
【００１８】
本発明は、上記の発明において、前記受信データが、前記端末のユーザーの健康管理に関する測定情報を含み、当該測定情報が、前記端末に備えられているモーションによって検出される当該端末の変位量に基づき得られるユーザーの運動データや、あるいは、前記無線機能付き端末に備えられているバイタルセンサによって検出されるユーザーの血圧、心拍数、体重、体温、体脂肪、心電図、筋電図、脳波、呼吸、発汗、眼球運動、飽和酸素濃度、血糖、脈拍のうち少なくとも１つを含むバイタルデータを含み、前記コンテンツデータが、前記運動データや前記バイタルデータに基づく生成される健康管理に関するデータであることを特徴とする。
【発明の効果】
【００１９】
この発明によれば、ネットワークを介して利用可能なコンテンツデータを活用したサービスをより多くの利用者に提供することができる。
【図面の簡単な説明】
【００２０】
【図１】本発明の一実施形態に係る情報表示システムを示す図である。
【図２】無線機能付き移動体端末のハードウェア構成図である。
【図３】無線送受信装置のハードウェア構成図である。
【図４】無線機能付き移動体端末、無線送受信装置、クライアントサーバ、情報解析管理サーバのシステム動作シーケンス図である。
【発明を実施するための形態】
【００２１】
［第１実施形態］
以下、本発明の一実施形態を、図面を参照して説明する。
図１は、本実施形態に係る情報表示システムの一例について示す概略図である。
図１に示す通り、情報表示システム１は、無線機能付き移動体端末２と、無線送受信装置３と、クライアントサーバ４と、クライアント表示装置５と、これらの構成とインターネット６を介して接続される情報解析管理サーバ７を備える。
【００２２】
無線機能付き移動体端末２は、例えばユーザーの健康状況を表わすバイタルデータやユーザーの運動状況を表わす運動データを検出する機能と、無線機能付き移動体端末２に割り当てられている識別情報であって他の無線機能付き移動体端末（図示せず）と識別して当該無線機能付き移動体端末２を表わす端末ＩＤ（端末識別情報）をバイタルデータや運動データ等の端末データに関連付ける機能とを備える。
また、無線機能付き移動体端末２は、無線送受信装置３と無線通信を行い、無線送受信装置３からトリガー信号を受信すると、このトリガー信号を送信した無線送受信装置３に端末ＩＤが関連付けられた運動データやバイタルデータ等を含む端末データを無線通信で送信する機能を備える。
【００２３】
ここで、端末データとは、無線機能付き移動体端末２のユーザーの健康管理に関する情報であって、例えば、ユーザーのバイタルデータや運動データあるいはユーザーの年齢や体重等を特定する情報を含む。つまり、端末データは、情報解析管理サーバ７によって解析されることでヘルスケアサービスコンテンツデータ（後述する）を得る際に用いられる情報である。よって、本実施形態では、健康管理に関する情報として説明するが、ヘルスケアサービスコンテンツデータ以外のデータが作成される場合、無線機能付き移動体端末２は、情報解析管理サーバ７による解析に必要な情報を端末データとして送信することができる。
また、無線機能付き移動体端末２は、例えば、特定省電力無線アクティブＲＦＩＤ（ Radio Frequency IDentification ）タグを備え、このタグに記憶されている端末ＩＤと端末データとを関連付けて無線送受信装置３に送信するものであってもよい。また、無線機能付き移動体端末２は、ＩＥＥＥ８０２．１ｂ／ｇなどの無線ＬＡＮ（ Local Area Network ）、あるいは赤外線通信などの通信方式等を利用可能である。
【００２４】
無線送受信装置３は、無線機能付き移動体端末２にトリガー信号を予め決められた時間間隔毎に送信する機能と、無線機能付き移動体端末２から送信される端末データ等を無線受信する機能と、受信した端末データをクライアントサーバ５に送信する機能とを備える。なお、トリガー信号の生成タイミングは、例えば、無線送受信装置３が備える人感センサによって無線送受信装置３に人が近づいたことが検知され、この人感センサの検知結果に基づき決定される。
【００２５】
クライアントサーバ４は、無線送受信装置３から受信した端末データにクライアントＩＤを付与しインターネット６を介して情報解析管理サーバ７へ送信する機能と、情報解析管理サーバ７から送信されるヘルスケアサービスコンテンツデータをインターネット６を介して受信する機能と、受信したヘルスケアサービスコンテンツデータをクライアント表示装置５に表示させる機能とを備える。
また、クライアントサーバ４は、当該クライアントサーバ４に割り当てられた固有の識別情報であって、他のクライアントサーバ（図示せず）と識別して自クライアントサーバ４を表わすクライアントＩＤを記憶している。例えば、クライアントＩＤとして、クライアントサーバ４のＭＡＣアドレスが利用可能である。クライアントサーバ４は無線送受信装置３から送信される端末データを受信し、さらにクライアントＩＤを付与して、インターネット６を介して情報解析管理サーバ７へ端末データを送信する。
【００２６】
クライアント表示装置５は、クライアントサーバ４から出力されたヘルスケアサービスコンテンツデータを表示部に表示する機能を備える。
また、クライアント表示装置５としては、ＬＣＤ（ Liquid Crystal Display ）、プラズマディスプレイ（ Plasma Display Panel ）、電界放出ディスプレイ（ Field Emission Display ）、表面伝導型電子放出素子ディスプレイ（ Surface-conduction Electron-emitter Display ）、有機ＥＬディスプレイ（ Organic Electroluminescence Display ）など、様々な表示方式を用いた表示装置を適用することができる。なお、クライアント表示装置５を公民館に設置する場合には、場所の明るさや設置スペースを考慮した表示画面を持つものであることが好ましい。
【００２７】
情報解析管理サーバ７は、インターネット６を介してクライアントサーバ４から受信した端末データを解析する機能と、解析結果に基づきヘルスケアサービスコンテンツデータを生成する機能と、このヘルスケアサービスコンテンツデータを端末データの送信元であるクライアントサーバ４に送信する機能とを備える。
【００２８】
このように、本実施形態に係る情報表示システム１は、無線機能付き移動体端末２によって取得されたバイタルデータや運動データを含む端末データに基づき、情報解析管理サーバ７によって得られたヘルスケアサービスコンテンツデータを、クライアント表示装置５に表示させる情報表示システムである。
このヘルスケアサービスコンテンツデータとしては、例えば、特定保険指導の対象者（特に４０〜７０歳代の中高年齢層）に対して、日頃の生活習慣に応じた健康管理をサポートするサービス（以下、ヘルスケアサービスという）の提供に関するものであって、運動データやバイタルデータに基づき生成される健康管理に関する解析データをクライアント表示装置５に表示させる情報等である。
具体的に言うと、ダイエットを目的としてユーザーの体重や運動量に基づき各ユーザーに応じたダイエットに関するヘルスケアサービスコンテンツデータを送信するサービスや、予めユーザーの健康状態に関する情報やユーザーが利用可能なヘルスケアサービス等を情報解析管理サーバ７に登録しておき、この登録されているユーザーの情報に基づき、生活習慣を改善するためのヘルスケアサービスコンテンツデータを送信するサービス等がある（上述の非特許文献にある「からだカルテ」のコンテンツを参照）。
【００２９】
本実施の形態において、無線機能付き移動体端末２のユーザーは、運動による健康管理を目的としたヘルスケアサービス「ＳＡ１」に予め登録されているユーザーであって、無線機能付き移動体端末２によって検出された運動データとバイタルデータとに基づき、累積的に得られるこれらの情報の変化を時系列に表わすヘルスケアサービスコンテンツデータや、よりよい健康管理を実施するための情報を表わすヘルスケアサービスコンテンツデータ等の提供を受けるサービスが利用可能である。
【００３０】
また、無線送受信装置３は、例えば、公民館や体育館などの公的な場所に設置されているコンピュータ等である。よって、クライアントサーバ４が設置されている施設でユーザーが運動をした場合、無線機能付き移動体端末２を携帯しているユーザーが、無線送受信装置３に近づくだけで、クライアントサーバ４等のＩＴ機器の操作をすることなしに、自動的にヘルスケアサービスコンテンツデータを無線送受信装置３の近くに設置されているクライアント表示装置５に表示させることが可能となる。
【００３１】
以下、各構成について詳細に説明する。
はじめに、図２を用いて無線機能付き移動体端末２の構成の一例について詳細に説明する。
図２は、無線機能付き移動体端末２のハードウェア構成図の一例である。無線機能付き移動体端末２は、ＣＰＵ２０１と、ＲＡＭ２０２と、ディスプレイ２０３と、アンテナ２０４と、特定省電力無線通信部２０５と、カメラ２０６と、ＲＯＭ２０７と、キー入力装置２０８と、電源２０９と、記録部２１０と、システムバス２１1と、モーションセンサ２１２と、バイタルセンサ２１３とを備える。なお、無線機能付き移動体端末２としては、例えば、携帯電話等が利用可能である。
ＣＰＵ２０１は、カメラ２０６やモーションセンサ２１２あるいはバイタルセンサ２１３によって取得された情報を記憶部２１０に記憶させる機能を有する。
ＲＡＭ２０２は、無線送受信装置３から受信した情報を一時的に記憶する。ＲＯＭ２０７は、無線機能付き移動体端末２の動作に必要な情報を記憶する。
ディスプレイ２０３は、無線機能付き移動体端末２の操作状態やカメラ２０６によって撮影された画像等を表示する。
キー入力部２０８は、ユーザーからの操作入力を受け付ける。電源２０４は、無線機能付き移動体端末２に対して電力を供給する。
【００３２】
モーションセンサ２１２は、例えば、加速度センサやジャイロセンサあるいは振動センサ等が利用可能であり、無線機能付き移動体端末２の変位量を検出する。すなわち、モーションセンサ２１２は、無線機能付き移動体端末２が携帯するユーザーの体の一部に取り付けられた状態で、この取り付けられた位置に応じたユーザーの運動量を検出することができる。また、モーションセンサ２１２は、検出されたセンサ出力信号に基づき、当該ユーザーの歩数、歩行距離、歩行速度、運動加速度などの運動データを算出する。
バイタルセンサ２１３は、例えば、血圧、心拍数、体重、体温、体脂肪、心電図、筋電図、脳波、呼吸、発汗、眼球運動、飽和酸素濃度、血糖、脈拍などのバイタルデータを計測する。例えばバイタルセンサ２１３が脈拍を計測するものである場合、脈拍を検出するための検出部が無線機能付き移動体端末２を携帯するユーザーの体の一部に固定されて、この検出部によって検出された脈拍を計算部がカウントすることによって、一定単位時間当たりの脈拍数を計測することができる。
記憶部２１０は、自無線機能付き移動体端末２の端末ＩＤや、ユーザー情報を記憶している。なお、ユーザー情報とは、無線機能付き移動体端末２のユーザーに関する情報であって、例えば、ユーザーの名前、身長、体重、血液型、歩幅、年齢、性別等や、ユーザーが利用可能なヘルスケアサービスに関する番号（例えば、ヘルスケアサービス「ＳＡ１」を表わすサービス番号「ＳＡ１」）等を記憶している。なお、ユーザー情報としては、少なくともユーザーの健康管理に関する情報（例えば、身長、体重、年齢、性別）が含まれていることが好ましい。
【００３３】
無線通信部２０５は、無線送受信装置３から送信される無線信号であるトリガー信号を受信できる機能を備える。この無線通信部２０５は、トリガー信号を受信するとこれを契機に、記憶部２１０に記憶されている情報を読み出し、バイタルセンサ２１３により測定されたユーザーのバイタルデータと、モーションセンサ２１２により測定された運動データと、ユーザー情報とを含む端末データを作成する。さらに、無線通信部２０５は、記憶部２１０から端末ＩＤを読み出し、この端末ＩＤを端末データに関連付けてアンテナ２０４から無線送信する。なおここでは、バイタルデータ、運動データあるいはユーザー情報のうち、少なくともいずれか１つが端末データに含まれる。
【００３４】
次に、図３を用いて、無線送受信装置３、クライアントサーバ４、クライアント表示装置５、および情報解析管理サーバ７の構成例について詳細に説明する。図３は、本実施形態に係る情報表示システム１の構成例を示すブロック図である。
図３に示す通り、無線送受信装置３は、人感センサ３０１と、トリガー信号発生部３０２と、トリガー信号アンテナ３０３と、特定省電力無線用アンテナ３０４と、特定省電力無線受信部３０５と、通信部３０６とを備える。
人感センサ３０１は、無線送受信装置３に人が近づいたことを検知し、人が近づいたことを表わす検知結果をトリガー信号発生部３０２に出力する。
トリガー信号発生部３０２は、人感センサ３０１から出力された検知結果に基づき、人が近づいたことを検出すると、トリガー信号を生成し、トリガー信号アンテナ３０３を介して、トリガー信号を無線機能付き移動体端末２に発報（送信）する。
【００３５】
特定省電力無線用アンテナ３０４は、無線機能付き移動体端末２から無線送信された端末データを受信し、特定省電力無線受信部３０５に出力する。
特定省電力無線受信部３０５は、特定省電力無線用アンテナ３０４を介して無線機能付き移動体端末２から送信された端末データを受信する。
通信部３０６は、クライアントサーバ４と接続されており、受信した端末データをクライアントサーバ３０７に送信する。なお、通信部３０６の通信方式は、ＲＳ−２３２Ｃ、ＵＳＢ（ Universal Serial Bus ）、ＧＰＩＢ（ General Purpose Interface Bus ）、ＬＡＮ（ Local Area Network ）などが利用可能である。
【００３６】
クライアントサーバ４は、記憶部４０１と、通信部４０２と、表示制御部４０３とを備える。
記憶部４０１は、自クライアントサーバに割り当てられたクライアントＩＤを記憶する。
通信部４０２は、無線送受信装置３の通信部３０６と例えば有線ケーブルを介して通信可能に接続されており、無線送受信装置３から送信された端末データを受信する。また、通信部４０２は、インターネット６を介して情報解析管理サーバ７と接続されており、受信した端末データにクライアントＩＤを対応付けて情報解析管理サーバ７に送信する。
表示制御部４０３は、情報解析管理サーバ７からヘルスケアサービスコンテンツデータを受信すると、このコンテンツデータをクライアント表示装置５の表示部に表示可能な画像データに変換し、クライアント表示装置５に出力する。
【００３７】
クライアント表示装置５は、通信部５０１と、表示部５０２とを備える。
通信部５０１は、クライアントサーバ４と接続されており、クライアントサーバ４から出力されるヘルスケアサービスコンテンツデータの画像データが入力される。
表示部５０２は、通信部５０１を介して得たヘルスケアサービスコンテンツデータの画像データを表示画面に表示する。
【００３８】
情報解析管理サーバ７は、通信部７０１と、ユーザーデータベース７０２と、クライアントデータベース７０３と、コンテンツデータ生成部７０４とを備える。
通信部７０１は、インターネット６を介してクライアントサーバ４から送信された端末データを受信する受信部と、コンテンツデータ生成部７０４によって生成されたヘルスケアサービスコンテンツデータをインターネット６を介してクライアントサーバ４に送信する送信部とを含む。また、通信部７０１は、受信部を介して受信した端末データをコンテンツデータ生成部７０４に出力する。
【００３９】
ユーザーデータベース７０２は、ヘルスケアサービスを享受しているユーザー（すなわち、ヘルスケアサービスを利用可能なユーザーとして予め登録されている者）に関するユーザーサービス情報と、端末ＩＤとを対応付けて記憶する。ここで、ユーザーサービス情報とは、当該ユーザーの利用可能なヘルスケアサービスに関するヘルスケアサービスコンテンツデータを作成する際に利用される情報である。例えば、当該ユーザーの過去の運動データやバイタルデータ等の測定データと、当該ユーザーの身長、体重、年齢、性別等に基づき決定される一日の目標運動量や基礎代謝量等の基準データ等のユーザーサービス情報がユーザーデータベース７０２に記憶されている。また、ユーザーが利用可能なヘルスケアサービスを表わすサービス番号が端末ＩＤと対応付けられている。
【００４０】
クライアントデータベース７０３は、クライアントサーバ３を識別するクライアントＩＤと、このクライアントＩＤによって表わされるクライアントサーバ４にヘルスケアサービスコンテンツデータを送信するための情報とを対応付けて記憶している。
【００４１】
コンテンツデータ生成部７０４は、ユーザーデータベース７０２を参照して、クラアントサーバ４から通信部７０１が受信した端末データと端末ＩＤを解析し、この端末ＩＤのユーザーに応じたヘルスケアサービスコンテンツデータを生成する。また、コンテンツデータ生成部７０４は、クライアントデータベース７０３を参照して、クライアントサーバ４から受信したクライアントＩＤに基づき、ネットワーク３を介してクライアントサーバ４にヘルスケアサービスコンテンツデータを送信するための情報を作成して、ヘルスケアサービスコンテンツデータに関連付ける。そして、このヘルスケアサービスコンテンツデータを通信部７０１に出力する。
詳細に説明すると、コンテンツデータ生成部７０４は、受信した端末ＩＤがユーザーデータベース７０２に記憶されているか否かを検出する。該当する端末ＩＤが記憶されている場合、この端末ＩＤに対応付けて、受信した端末データに含まれる運動データやバイタルデータあるいはユーザー情報をユーザーデータベース７０２に記憶させる。
また、コンテンツデータ生成部７０４は、受信した端末データからサービス番号「ＳＡ１」に応じたコンテンツデータを作成するため、必要な情報をユーザーデータベース７０２から読み出し、ヘルスケアサービスコンテンツデータを作成する。
【００４２】
次に、図４を用いて、本実施形態に係る情報表示システム１００の動作の一例について説明する。
図４は、無線機能付き移動体端末２、無線送受信装置３、クライアントサーバ４、クライアント表示装置５、および情報解析管理サーバ７のシステム動作のシーケンス図である。
なお、無線機能付き移動体端末２のユーザーは、情報解析管理サーバ７からのヘルスケアサービスコンテンツデータの提供を受けるユーザーとして予め登録されている。また、無線機能付き移動体端末２の記憶部２１０には、モーションセンサ２１２を介して取得された運動データや、バイタルセンサ２１３を介して取得されたバイタルデータ等が記憶されている。このような状態において、情報表示システム１００は以下のように動作する。
【００４３】
無線送受信装置３に対して無線機能付き移動体端末２を持ったユーザーが近づくと、無線送受信装置３は、人感センサ３０１を介して検知結果を得る。つまり、無線送受信装置３は、人感センサ３０１の検知結果に基づき、無線機能付き移動体端末２が無線通信可能なエリアに入ったため、無線機能付き移動体端末２と端末データの送受信が可能であることを検出する。このようにして、人感センサ３０１によって近くにユーザーが居ると検知された場合、無線送受信装置３は、トリガー信号発生部３０２によって生成されたトリガー信号を、トリガー信号アンテナ３０３を介して発報する（ステップＳＴ１）。
すると、無線送受信装置３と通信可能なエリアにある無線機能付き移動体端末２が、発報されたトリガー信号を受信し、これをきっかけにして、無線送受信装置３に対して端末ＩＤを関連付けた端末データを送信する（ステップＳＴ２）。例えば、無線機能付き移動体端末２は、無線通信部２０５を介してトリガー信号を受信すると、記憶部２１０に記憶されているユーザー情報（例えば、身長、体重、年齢、性別、歩幅、サービス番号「ＳＡ１」）と、運動データ（例えば、歩数）と、バイタルデータ（例えば、脈拍数）とを読み出して端末データを作成する。次いで、無線機能付き移動体端末２は、端末ＩＤをこの端末データに関連付けて無線送受信装置３に送信する。
なお、ステップＳＴ１において無線機能付き移動体端末２を持たないユーザーが近づいた場合、無線送受信装置３からトリガー信号が発報されるが、無線送受信装置３が端末データを受信できない。よって、トリガー信号を発報してから一定時間の間に端末データを受信しなければ無線送受信装置３は処理を終了する。
【００４４】
そして、無線送受信装置３が、無線機能付き移動体端末２から送信された端末データを無線受信すると、クライアントサーバ４に対して端末データを送信する（ステップＳＴ３）。
これにより、クライアントサーバ４は、無線送受信装置３から受信した端末データにクライアントＩＤを付与し、インターネット６を介して情報解析管理サーバ７に送信する（ステップＳＴ４）。
【００４５】
情報解析管理サーバ７の通信部７０１は、端末データを受信すると、コンテンツデータ生成部７０４に出力する。
コンテンツデータ生成部７０４は、ユーザーデータベース７０２を参照して、端末データの解析を行い、ヘルスケアサービスコンテンツデータを生成する。例えば、コンテンツ生成部７０４は、端末データの解析によって、サービス番号「ＳＡ１」に対応するヘルスケアサービスコンテンツデータとして、運動によって消費したカロリーと運動前後の体重に関する情報を表わすヘルスケアサービスコンテンツデータを作成すると判断する。そして、コンテンツデータ生成部７０４は、例えば内部の記憶部に記憶しているプログラムを用いて、運動データの「歩数」、バイタルデータの「脈拍数」、ユーザー情報の「年齢、性別、体重、身長、歩幅」に基づき、この運動データによって消費されたカロリーを算出する。次いで、コンテンツデータ生成部７０４は、ユーザーデータベース７０２から過去の運動データやバイタルデータを読み出し、今回検出された運動データやバイタルデータと比較して、過去のデータと今回の検出結果に基づく比較結果を得る。そして、コンテンツデータ生成部７０４は、消費されたカロリーおよび比較結果を表わすヘルスケアサービスコンテンツデータを作成する。
【００４６】
次いで、コンテンツデータ生成部７０４は、クライアントデータベース７０３を参照して、受信したクライアントＩＤに基づき、ヘルスケアサービスコンテンツデータをクライアントサーバ４に送信するための情報を作成し、このヘルスケアサービスコンテンツデータに関連付けて通信部７０１に出力する。
そして、通信部７０１は、ヘルスケアサービスコンテンツデータに関連付けられている情報に基づき、クライアントＩＤにより特定されたクライアントサーバ４に、ヘルスケアサービスコンテンツデータを送信する（ステップＳＴ５）。
これにより、クライアントサーバ４の表示制御部４０３は、ヘルスケアサービスコンテンツデータを受信して、画像データに変換した後、クライアント表示装置５に出力する。そして、クライアント表示装置５は、ヘルスケアサービスコンテンツデータの画像データに基づく画像を表示部５０２に表示する（ステップＳＴ６）。
【００４７】
このような構成により、人感センサ３０１を備えた無線送受信装置３に対して、無線機能付き移動体端末２を携帯したユーザーが近づいたとき、無線機能付き移動体端末２がトリガー信号を検知したことを契機に端末ＩＤが付与された端末データを無線送受信装置３に対して送信する。無線送受信装置３に送信された端末データは、無線送受信装置３に接続されているクライアントサーバ４より、クライアントＩＤが付与されてインターネット６を介して情報解析管理サーバ７に伝送される。情報解析管理サーバ７は、受信した端末データに基づきユーザーデータベース７０２を参照してヘルスケアサービスコンテンツデータを生成し、クライアントサーバ４へヘルスケアサービスコンテンツデータを伝送する。クライアントサーバ４は、ヘルスケアサービスコンテンツデータを、クライアント表示装置５に表示させる。
【００４８】
これにより、ユーザーが無線送受信装置３に近づくだけで、クライアントサーバ４やクライアント表示装置５等のＩＴ機器をユーザーが操作することなしに、クライアント表示装置５に対して、自動的且つ即座に、ヘルスケアサービスに関わる情報を表示させ、閲覧することを可能にする。
【００４９】
なお、クライアント表示装置５は、ユーザーが無線送受信装置から遠ざかり人感センサが人を検知しなくなってから、予め決められた時間（例えば、数十秒程度）経過後、表示しているヘルスケアサービスコンテンツデータに基づく画像を消去する。また、クライアントサーバ４も、このヘルスケアサービスコンテンツデータを破棄する。これにより、公共の施設に設置されているクライアントサーバ４およびクライアント表示装置５を利用してヘルスケアサービスコンテンツデータを閲覧した場合であっても、その後に他人によって閲覧されることがない。
【００５０】
また、クライアント表示装置５が公民館や体育館等の公共施設に設置されている場合、複数のユーザーが１つのクライアントサーバ４およびクライアント表示装置５を利用して、簡単にヘルスケアサービスコンテンツデータの閲覧をすることができる。
【００５１】
なお、以上の構成要素の任意の組合せ、本発明の表現を方法、装置、システム、記録媒体、コンピュータプログラムなどの間で変換したものもまた、本発明の態様として有効である。
また、クライアント表示装置５に表示される情報であるヘルスケアサービスコンテンツデータとしては、上述のものに限られず、例えば、情報解析管理サーバ７により、ユーザーによって携帯されるバイタルセンサ２１３とモーションセンサ２１２を備えた無線機能付き移動体端末２より出力されるユーザーのバイタルデータや運動データなどの健康管理に関わる測定情報と、情報解析管理サーバ７内のデータベース情報をもとに算出されるヘルスケアサービスコンテンツデータがある。
【００５２】
さらに、クライアント表示装置上に表示する情報であるヘルスケアサービスコンテンツデータは、一般的に情報を画像化した画像データの信号として情報解析管理サーバ７からクライアントサーバ４に伝送され、クライアントサーバ４によりクライアント表示装置５に出力されることとなる。つまり、クライアントサーバ４は、情報解析管理サーバ７から受信したヘルスケアサービスコンテンツデータを信号処理して、クライアント表示装置５に表示するためのデータを作成することができる。
【００５３】
あるいは、情報解析管理サーバ７よって送信されたヘルスケアサービスコンテンツデータが、画像データではなく解析数値データ等の解析結果そのものであった場合、数値解析データを画像データに変換するソフトウェアをクライアントサーバ４が備えていてもよい。
【００５４】
本発明に係る情報表示システム１において、クライアント表示装置２、クライアントサーバ４、および無線送受信装置３は、例えば、公民館内などの同じ場所に設置して使用されることが好ましい。このように、無線機能付き移動体端末２と無線通信をする無線送受信装置３とクライアント表示装置５が近い場所に配置されていると、ユーザーが無線機能付き移動体端末２を無線送受信装置３に近づけるという簡単な作業のみによって、即座にヘルスケアサービスコンテンツデータを閲覧することができるようになる。
また、一般的に情報解析管理サーバ７はインターネット６を介して別の場所に設けられているが、同場所にあっても良い。例えば、情報解析管理サーバ７は、インターネット６を介して他のクライアントサーバ４と接続されており、ヘルスケアサービスを管理する管理者によって利用されるコンピュータ等であってもよい。
【００５５】
そして、様々な実施形態として後述するように、本実施形態に係る情報表示システムは、無線機能付き移動体端末２を携帯したユーザーがクライアント表示装置５に近づくことで、自動的にクライアント表示装置５にヘルスケアサービスコンテンツデータを表示させるものである。
【００５６】
以下、本実施形態に係る情報表示システム１が公民館等に設置された無線送受信装置３やクライアント表示装置５等をユーザーが利用する例を説明したが、当然、他の用途で用いられる部屋や施設等に設置される無線送受信装置３やクライアント表示装置５を利用するシステムにも適用できる。
また、本実施形態に係る情報表示システム１は、ユーザーが携帯するバイタルセンサ２１３とモーションセンサ２１２を備えた無線機能付き移動体端末２を利用し、表示される情報がヘルスケアサービスコンテンツデータである例を用いて説明しているが、当然、ヘルスケアサービスコンテンツデータ以外のコンテンツデータであっても適用できる。
【００５７】
［第２実施形態］
上述の第１実施形態において、無線送受信装置３として人感センサ３０１を備える例を用いて説明したが、第２実施形態に係る無線送受信装置３は、人感センサが備えておらず、トリガー信号を連続的に発報する。この場合、無線機能付き移動体端末２を携帯したユーザーが、連続して発報されているトリガー信号を受信可能な距離に近づくことでシステム動作が開始する。
従って、このような構成であっても、上述のような表示システムであっても同様のシステム動作を実現することができる。
【００５８】
ヘルスケアサービスコンテンツデータは、一般的にヘルスケアサービス提供者またはユーザーによって予め設定されているサービス内容に応じて決定されており、その内容としては、例えば、歩数データを元にしたユーザーの消費カロリーの計算結果のほか、ヘルスケアサービスを利用している全てのユーザーの中での当該ユーザーの歩数ランキング結果などがある。
また、端末データは、無線機能付き移動体端末２のモーションセンサ２１２やバイタルセンサ２１３によって検出された情報に限られず、例えば、無線機能付き移動体端末２が他の端末装置から無線あるいは有線を問わず、通信によって得られた情報であってもよい。
【符号の説明】
【００５９】
１  情報表示システム
２  無線機能付き移動体端末（端末）
３  無線送受信装置
４  クライアントサーバ
５  クライアント表示装置
６  インターネット
７  情報解析管理サーバ
２０１  ＣＰＵ
２０２  ＲＡＭ
２０３  ディスプレイ
２０４  アンテナ
２０５  無線通信装置
２０６  カメラ
２０７  ＲＯＭ
２０８  キー入力装置
２０９  電源
２１０  記録装置
２１1  システムバス
２１２  モーションセンサ
２１３  バイタルセンサ
３０１  人感センサ
３０２  トリガー信号発生装置
３０３  トリガー信号アンテナ
３０４  特定省電力無線用アンテナ
３０５  特定省電力無線受信装置
３０６  通信部
４０１  記憶部
４０２  通信部
４０３  表示制御部
５０１  通信部
５０２  表示部
７０１  通信部（受信部、送信部）
７０２  ユーザーデータベース
７０３  クライアントデータベース
７０４  コンテンツデータ生成部
【図１】
2011039579.tif 000003
【図２】
2011039579.tif 000004
【図３】
2011039579.tif 000005
【図４】
2011039579.tif 000006